(57)【要約】【課題】  ＤＮＡやタンパク質等をプローブ物質として、感度の高い検出を行うことができるバイオチップを提供する。【解決手段】  基板上に固定化基質として作用する結着層を有し、前記結着層が、所定構造のホルミル［２．２］パラシクロファンの化学蒸着物（ポリパラホルミルキシリレン）に、モノマー単位に少なくとも１個のシッフ塩基を形成する能力のあるアミノ基（−ＮＨ2）を含む重合体を反応させて得られたアミノ基を有する重合体を含有するバイオチップ。【選択図】        なし【特許請求の範囲】
【請求項１】
基板上に固定化基質として作用する結着層を有し、前記結着層が、式（Ｉ）で表されるホルミル［２．２］パラシクロファンの化学蒸着により形成された式（II）で表される重合体に、モノマー単位に少なくとも１個のシッフ塩基を形成する能力のあるアミノ基（−ＮＨ2）を含む重合体を反応させて得られたアミノ基を有する重合体を含有するバイオチップ。
【化１】
2006010565.tif 000024
【化２】
2006010565.tif 000025
［式(I)中、ｋは０または１である。
式(II)中、ｎおよびｍはそれぞれ重合度を表し、ｎは０以上の整数であり、ｍは１以上の整数であり、ｎ＋ｍは２以上である。］
【請求項２】
結着層が含有するアミノ基を有する重合体が式(III)で表される請求項１のバイオチップ。
【化３】
2006010565.tif 000026
［式(III)中、ｎおよびｍはそれぞれ重合度を表し、ｎは０以上の整数であり、ｍは１以上の整数であり、ｎ＋ｍは２以上である。Ｘは、重合体主鎖の炭素に直接、または炭素もしくは窒素に炭素数１〜４のアルキレン基を介してアミノ基が結合した第１級アミンを有する基を表す。］
【請求項３】
結着層が含有するアミノ基を有する重合体が式(IV)で表される請求項１のバイオチップ。
【化４】
2006010565.tif 000027
［式(IV)中、ｎおよびｍはそれぞれ重合度を表し、ｎは０以上の整数であり、ｍは１以上の整数であり、ｍ＋ｎは２以上である。Ｘは、重合体主鎖の炭素に直接、または炭素もしくは窒素に炭素数１〜４のアルキレン基を介してアミノ基が結合した第１級アミンを有する基を表す。］
【請求項４】
式(III)または式(IV)におけるＸ中の重合体主鎖がポリエチレン、ポリエチレンイミン、またはポリメチレンアミドである請求項２または３のバイオチップ。
【請求項５】
式(III)または式(IV)において、Ｘが−ＣＨ2に対して炭素または窒素により結合する請求項２〜４のいずれかのバイオチップ。
【請求項６】
クロロ置換［２．２］パラシクロファンの化学蒸着物を下地として、式(I)で表されるホルミル［２．２］パラシクロファンの化学蒸着により式(II)で表される重合体を形成した請求項１〜５のいずれかのバイオチップ。
【請求項７】
固定化基質として作用する結着層にプローブ物質を結合した請求項１〜６のいずれかのバイオチップ。
【請求項８】
基板上に、式（Ｉ）で表されるホルミル［２．２］パラシクロファンを化学蒸着して式(II)で表される重合体の膜を得、この式(II)で表される重合体の膜に、モノマー単位に少なくとも１個のシッフ塩基を形成する能力のあるアミノ基（−ＮＨ2）を含む重合体を反応させて式(III)で表される重合体の膜を得、この重合体膜を固定化基質として作用する結着層としたバイオチップの製造方法。
【化５】
2006010565.tif 000028
【化６】
2006010565.tif 000029
【化７】
2006010565.tif 000030
［式(I)中、ｋは０または１である。
式(II)中、ｎおよびｍはそれぞれ重合度を表し、ｎは０以上の整数であり、ｍは１以上の整数であり、ｍ＋ｎは２以上である。
式(III)中、ｎおよびｍはそれぞれ重合度を表し、ｎは０以上の整数であり、ｍは１以上の整数であり、ｍ＋ｎは２以上である。Ｘは、重合体主鎖の炭素に直接、または炭素もしくは窒素に炭素数１〜４のアルキレン基を介してアミノ基が結合した第１級アミンを有する基を表す。］
【請求項９】
請求項８において得られた式(III)で表される重合体をさらに還元して、式(IV)で表される重合体の膜を得、この重合体膜を固定化基質として作用する結着層としたバイオチップの製造方法。
【化８】
2006010565.tif 000031
［式(IV)中、ｎおよびｍはそれぞれ重合度を表し、ｎは０以上の整数であり、ｍは１以上の整数であり、ｍ＋ｎは２以上である。Ｘは、重合体主鎖の炭素に直接、または炭素もしくは窒素に炭素数１〜４のアルキレン基を介してアミノ基が結合した第１級アミンを有する基を表す。］
【請求項１０】
固定化基質として作用する結着層にプローブ物質を結合させる際にＵＶ照射を行う請求項８または９のバイオチップの製造方法。
【請求項１１】
式(II)で表されるポリホルミルパラキシリレン膜。
【化９】
2006010565.tif 000032
［式(II)中、ｎおよびｍはそれぞれ重合度を表し、ｎは０以上の整数であり、ｍは１以上の整数であり、ｎ＋ｍは２以上である。］
【請求項１２】
式(I)で表されるホルミル［２．２］パラシクロファンを化学蒸着して式(II)で表されるポリホルミルパラキシリレン膜を得るポリホルミルパラキシリレン膜の製造方法。
【化１０】
2006010565.tif 000033
【化１１】
2006010565.tif 000034
［式(I)中、ｋは０または１である。
式(II)中、ｎおよびｍはそれぞれ重合度を表し、ｎは０以上の整数であり、ｍは１以上の整数であり、ｎ＋ｍは２以上である。］
【発明の詳細な説明】
【技術分野】
【０００１】
本発明は、ＤＮＡやタンパク質の固定化を利用して遺伝子の発現、遺伝子の変異、遺伝子の多型等の解析を行う上で有用なバイオチップおよびその製造方法、ならびに固定化基質として作用する結着層の原料物質となるポリホルミルパラキシリレン膜およびその製造方法に関する。
【背景技術】
【０００２】
医療分野等において使用する機器、例えばカテーテル等は、生体内に挿入され使用される。このように、生体内に異物である医療機器を導入することにより、生体免疫機構、生体防御機構などとの適合性が問題となる。
【０００３】
例えば、血栓症は、血液採集および処理システムのような医療機器の開発、使用において、最も障害となる問題の一つである。血液が異質の表面に接触するときに、体液および細胞の変化が起こる。このような材料の生体適合性を改善するために、抗凝固剤の固定化と、重合体表面上に生物学的に活性な抗凝血性物質を固定化することが必要とされている。
【０００４】
一方、細胞や組織における遺伝子発現の様態の解析は、これまで種々の細胞や組織からＲＮＡを調製し、そのＲＮＡをメンブレン上に固定し、解析対象の遺伝子の特異的プローブを用いてハイブリダイゼーションを行うノーザンブロット（もしくは、ドットブロット）法や、解析対象の遺伝子に特異的なプライマを用いたＲＴ−ＰＣＲ法などによって行われてきた。
【０００５】
一方、遺伝子の研究の進展により解析を必要とする遺伝子の数が急速に増加し、さらに、ゲノムプロジェクトの進展や、医療分野への応用などの進行に伴って、多数の遺伝子を一度に解析する必要性が高まっている。
【０００６】
このような要望に対して、最近、マイクロアレイ法もしくはＤＮＡチップ法が開発されつつある。これらの技術の特徴は、ガラス製の基板上に、互いに異なる数千種類のＤＮＡ断片を固定し（ＤＮＡチップまたはバイオチップという。）、この固定ＤＮＡ断片と極少量の標識されたターゲットＤＮＡ断片とのハイブリダイゼーションを行い、高感度でターゲットＤＮＡ断片を検出することである。
【０００７】
上記の方法を用いることによって、ヒト等のほ乳類や数千個の遺伝子を有する微生物の全遺伝子を数枚のＤＮＡチップ等を用いて解析することができ、標識ＲＮＡによる全遺伝子を対象とした発現量の解析を行うこともできる。また、ゲノムＤＮＡを標識することによって遺伝子欠損等の変異の解析も可能である。
【０００８】
ＤＮＡチップ等の作製において、「オン・チップ」法（基板表面上に固定するＤＮＡ断片を、直接、基板表面上で合成する方法）によらない場合には、ＤＮＡ断片は、予め調製したものを基板表面に点着し、次いで静電的相互作用あるいは共有結合によって基板表面に固定する。
【０００９】
図２は、この従来の方法の原理を説明する図である。図２（ａ）に示すように、複数種類のプローブＤＮＡ２１が入っているマイクロプレート２２を用意する。一方、図２（ｂ）に示すよう、プレート２３としてガラス板を用意しておき、図２（ｃ）で示すように、プレート２３の表面にポリシリン(poly-l-Lysine)等のＤＮＡとガラスの結合剤２４をコーティングする。この後、マイクロプレート２２に入っているプローブＤＮＡ２１をピンに付着させ、表面にＤＮＡとガラスの結合剤（poly-l-Lysine）２４がコーテイングしてあるガラスプレート２３の上に、ピンに付着させたプローブＤＮＡ２１を接触させてスポットする。マイクロプレート２２に入っている全てのプローブＤＮＡをスポットし終わるまでこの作業を繰り返し、図２（ｄ）に示すＤＮＡチップを製造していた。このように、従来はプレートに予めＤＮＡとガラスの結合剤を全面コーティングし、その上にＤＮＡをプロットしてＤＮＡチップを製造していた。
【００１０】
ＤＮＡチップのハイブリダイゼーション工程は、プローブＤＮＡが結合剤でガラスのプレートにスポットされているＤＮＡチップと、蛍光物質で標識したサンプルＤＮＡを、ともにハイブリダイゼーション溶液に入れてハイブリダイズさせる。ハイブリダイゼーション溶液は、ホルムアルデヒド、ＳＳＣ（NaCl, trisodiumcitrate）、ＳＤＳ（sodium dodecyl sulfate）、ＥＤＴＡ（ethylenediamidetetraacetic acid）、蒸留水などからなる混合液であり、混合比率は使用するＤＮＡの性質により異なる。
【００１１】
このとき、サンプルＤＮＡとＤＮＡチップ上のプローブＤＮＡが相補鎖ＤＮＡであれば、両者は二重らせん構造をとり結合する。一方、両者が相補鎖でなければ結合することはなく、蛍光物質で標識したサンプルＤＮＡは、そのままハイブリダイゼーション溶液に残留するか、そのごく一部はガラスのプレート上にコーティングされている結合剤と結合し、ガーベージとして残る場合もある。
【００１２】
その後、ガラスのプレート上に残った蛍光物質で標識したサンプルＤＮＡを水槽等の中に入れて洗い流すと、プローブＤＮＡと結合していないサンプルＤＮＡは排出される。その後、プローブＤＮＡと結合しているサンプルＤＮＡに標識している蛍光物質を、所定の光源からの光エネルギーで励起させ、蛍光物質が励起して発光する光をＣＣＤなどの光センサーで検出することでハイブリダイゼーションの検出を行う。
【００１３】
しかし、poly-l-Lysine等のＤＮＡとガラスの結合剤は、ＤＮＡに対する結合力が十分でないため、上記水洗い工程の際、基板との結合が外れ、ハイブリダイズした資料まで洗い流されてしまう場合があった。このような、不十分な結合に由来するプローブＤＮＡおよびサンプルＤＮＡの損失は、多いときには７０％以上にも達し、高価なプローブＤＮＡや、貴重なサンプルＤＮＡを徒に浪費しているのが現状であった。
【００１４】
１ＤＮＡチップとしては特注のスライドガラス（平滑性を要求される）に０．００１％（質量百分率）のポリリシンを塗布している。但し、この方法はオックスフォード法である。
【００１５】
また、平滑に塗布するためにかなり濃度を低くしており、この分、感度が下がるので、Cy3,Cy5などのシアニン色素（非特許文献１：Ratnakar B. Mujumdar et al., Bioconjugate Chem., vol. 4, No.2, 1993年, p105-111参照）などの蛍光標識を反応させて判定している。
【００１６】
このために表面が平滑でないと表面のノイズを拾い、平滑性が要求される。
【００１７】
一方、タンパク質チップとしてはいろいろな方法があるが、やはり特注のスライドガラスを使いカルボン酸にコハク酸イミドを反応させてこの末端にアビジンを反応させてタンパク質との反応をさせている。
【００１８】
やはり感度が低いために蛍光物質を使用するケースが多い。
【００１９】
このような問題に対処するために、本発明者等は、先に、アミノ［２．２］パラシクロファンあるいはアミノメチル［２．２］パラシクロファンを原料とした化学蒸着膜を固定化基質（結着層）とすることを提案している（特許文献１：特開２００２−３４０９１６号、特許文献２：特開２００３−２１２９７４号）。
【００２０】
しかし、このようなものでは、重合体に導入されるアミノ基（−ＮＨ2）の数がモノマー単位中に１個あるいは２個の割合であるため、ＤＮＡやタンパク質の固定が不十分であることに起因して感度が十分でないという問題がある。
【特許文献１】特開２００２−３４０９１６号公報（特願２００１−１４６６７５号）
【特許文献２】特開２００３−２１２９７４号公報（特願２００２−１１７０７号）
【非特許文献１】ラトナカル・ビ・ムジュムダル等(Ratnakar B. Mujumdar et al.)著、バイオコンジュゲート  ケミストリ(Bioconjugate Chem.)、第４巻、第２号、1993年、P105-111
【発明の開示】
【発明が解決しようとする課題】
【００２１】
本発明の目的は、ＤＮＡやタンパク質等をプローブ物質として、感度の高い検出を行うことができるバイオチップおよびその製造方法を提供することであり、さらには、バイオチップの結着層を構成する重合体の原料となるポリホルミルパラキシリレン膜およびその製造方法を提供することである。
【課題を解決するための手段】
【００２２】
このような目的は、下記の本発明によって達成される。
（１）  基板上に固定化基質として作用する結着層を有し、前記結着層が、式（Ｉ）で表されるホルミル［２．２］パラシクロファンの化学蒸着により形成された式（II）で表される重合体に、モノマー単位に少なくとも１個のシッフ塩基を形成する能力のあるアミノ基（−ＮＨ2）を含む重合体を反応させて得られたアミノ基を有する重合体を含有するバイオチップ。
【００２３】
【化１２】
2006010565.tif 000002
【００２４】
【化１３】
2006010565.tif 000003
【００２５】
［式(I)中、ｋは０または１である。
式(II)中、ｎおよびｍはそれぞれ重合度を表し、ｎは０以上の整数であり、ｍは１以上の整数であり、ｎ＋ｍは２以上である。］
（２）  結着層が含有するアミノ基を有する重合体が式(III)で表される上記（１）のバイオチップ。
【００２６】
【化１４】
2006010565.tif 000004
【００２７】
［式(III)中、ｎおよびｍはそれぞれ重合度を表し、ｎは０以上の整数であり、ｍは１以上の整数であり、ｎ＋ｍは２以上である。Ｘは、重合体主鎖の炭素に直接、または炭素もしくは窒素に炭素数１〜４のアルキレン基を介してアミノ基が結合した第１級アミンを有する基を表す。］
（３）  結着層が含有するアミノ基を有する重合体が式(IV)で表される上記（１）のバイオチップ。
【００２８】
【化１５】
2006010565.tif 000005
【００２９】
［式(IV)中、ｎおよびｍはそれぞれ重合度を表し、ｎは０以上の整数であり、ｍは１以上の整数であり、ｍ＋ｎは２以上である。Ｘは、重合体主鎖の炭素に直接、または炭素もしくは窒素に炭素数１〜４のアルキレン基を介してアミノ基が結合した第１級アミンを有する基を表す。］
（４）  式(III)または式(IV)におけるＸ中の重合体主鎖がポリエチレン、ポリエチレンイミン、またはポリメチレンアミドである上記（２）または（３）のバイオチップ。
（５）  式(III)または式(IV)において、Ｘが−ＣＨ2に対して炭素または窒素により結合する上記（２）〜（４）のいずれかのバイオチップ。
（６）  クロロ置換［２．２］パラシクロファンの化学蒸着物を下地として、式(I)で表されるホルミル［２．２］パラシクロファンの化学蒸着により式(II)で表される重合体を形成した上記（１）〜（５）のいずれかのバイオチップ。
（７）  固定化基質として作用する結着層にプローブ物質を結合した上記（１）〜（６）のいずれかのバイオチップ。
（８）  基板上に、式（Ｉ）で表されるホルミル［２．２］パラシクロファンを化学蒸着して式(II)で表される重合体の膜を得、この式(II)で表される重合体の膜に、モノマー単位に少なくとも１個のシッフ塩基を形成する能力のあるアミノ基（−ＮＨ2）を含む重合体を反応させて式(III)で表される重合体の膜を得、この重合体膜を固定化基質として作用する結着層としたバイオチップの製造方法。
【００３０】
【化１６】
2006010565.tif 000006
【００３１】
【化１７】
2006010565.tif 000007
【００３２】
【化１８】
2006010565.tif 000008
【００３３】
［式(I)中、ｋは０または１である。
式(II)中、ｎおよびｍはそれぞれ重合度を表し、ｎは０以上の整数であり、ｍは１以上の整数であり、ｍ＋ｎは２以上である。
式(III)中、ｎおよびｍはそれぞれ重合度を表し、ｎは０以上の整数であり、ｍは１以上の整数であり、ｍ＋ｎは２以上である。Ｘは、重合体主鎖の炭素に直接、または炭素もしくは窒素に炭素数１〜４のアルキレン基を介してアミノ基が結合した第１級アミンを有する基を表す。］
（９）  上記（８）において得られた式(III)で表される重合体をさらに還元して、式(IV)で表される重合体の膜を得、この重合体膜を固定化基質として作用する結着層としたバイオチップの製造方法。
【００３４】
【化１９】
2006010565.tif 000009
【００３５】
［式(IV)中、ｎおよびｍはそれぞれ重合度を表し、ｎは０以上の整数であり、ｍは１以上の整数であり、ｍ＋ｎは２以上である。Ｘは、重合体主鎖の炭素に直接、または炭素もしくは窒素に炭素数１〜４のアルキレン基を介してアミノ基が結合した第１級アミンを有する基を表す。］
（１０）  固定化基質として作用する結着層にプローブ物質を結合させる際にＵＶ照射を行う上記（８）または（９）のバイオチップの製造方法。
（１１）  式(II)で表されるポリホルミルパラキシリレン膜。
【００３６】
【化２０】
2006010565.tif 000010
【００３７】
［式(II)中、ｎおよびｍはそれぞれ重合度を表し、ｎは０以上の整数であり、ｍは１以上の整数であり、ｎ＋ｍは２以上である。］
（１２）  式(I)で表されるホルミル［２．２］パラシクロファンを化学蒸着して式(II)で表されるポリホルミルパラキシリレン膜を得るポリホルミルパラキシリレン膜の製造方法。
【００３８】
【化２１】
2006010565.tif 000011
【００３９】
【化２２】
2006010565.tif 000012
【００４０】
［式(I)中、ｋは０または１である。
式(II)中、ｎおよびｍはそれぞれ重合度を表し、ｎは０以上の整数であり、ｍは１以上の整数であり、ｎ＋ｍは２以上である。］
【発明の効果】
【００４１】
本発明によれば、結着層の重合体のアミノ基の導入数を多くできるので、ＤＮＡやタンパク質等をプローブ物質として、感度の良い検出を行うことができる。また、アミノ基による結合が強固であるので、水洗い工程等においてプローブ物質やサンプル物質の損失が少なく、その有効利用を図ることができる。また、結着層の基本となる重合体のポリホルミルパラキシリレンの成膜を、ホルミル［２．２］パラシクロファンを出発物質として化学蒸着により行っているので、基板として安価なスライドガラス等を用いても平滑性を確保できる。さらには、基板として、各種樹脂材料や紙、あるいは金属、繊維、磁気ビーズ等を用いることができる。
【００４２】
また、ホルミル［２．２］パラシクロファンの化学蒸着に先立って、基板に、まず、［２．２］パラシクロファンに塩素を導入したクロロ置換［２．２］パラシクロファンを蒸着すれば、ポリホルミルパラキシリレン膜の基板への接着性を高めるとともに、ポリホルミルキシリレン膜を薄くできるため経済的である。基板への接着性が高まるため、水洗い工程等における膜の剥離を防止することができる。
【発明を実施するための最良の形態】
【００４３】
以下、本発明を詳細に説明する。
本発明のバイオチップは、基板上に固定化基質として作用する結着層を有するものであり、この結着層は、式（Ｉ）で表されるホルミル［２．２］パラシクロファンの化学蒸着により形成された式(II)で表される重合体に、モノマー単位に少なくとも１個のシッフ塩基を形成する能力のあるアミノ基（−ＮＨ2）を含む重合体（アミノ基含有重合体）を反応させて得られたアミノ基を有する重合体を含有する。
【００４４】
【化２３】
2006010565.tif 000013
【００４５】
【化２４】
2006010565.tif 000014
【００４６】
式(I)中、ｋは０または１である。
式(II)中、ｎおよびｍはそれぞれ重合度を表し、ｎは０以上の整数であり、ｍは１以上の整数であり、ｎ＋ｍは２以上である。
【００４７】
上記のようにして得られた重合体は、反応させるアミノ含有重合体を選択することにより、重合体に導入できるアミノ基数を多くすることができるため、ＤＮＡやタンパク質等をプローブ物質として検出感度を高くすることができる。このため、場合によっては蛍光物質を用いることなく、目視の判定が可能になることがある。
【００４８】
本発明に用いるアミノ含有重合体は、モノマー単位に、ホルミル［２．２］パラシクロファンのホルミル基と脱水縮合してシッフ塩基を生成するアミノ基（−ＮＨ2）を少なくとも１個含むものであれば特に制限なく用いることができる。そして、シッフ塩基生成に使用されなかったアミノ基が、プローブ物質となるＤＮＡやタンパク質等を、リン酸基やカルボキシ基との静電結合により固定化することになる。この場合、リン酸基やカルボキシ基とアミノ基との結合はこのような静電結合が一般的であるが、共有結合であってもよい。このように、プローブ物質の固定化という観点からは、アミノ基数は多い方が好ましい。シッフ塩基生成に関与しないアミノ基は−ＮＨ2が好ましいが、このほか、−ＮＨＲ、−Ｎ（Ｒ）2（Ｒはアルキル基等の置換基）であってもよい。このような重合体としては、ビニル基等の重合可能な不飽和基（エチレン性不飽和基）を有する第一級アミン化合物から得られた重合体などを用いることが好ましい。このような重合体の分子量は重量平均分子量で1,000〜50万であることが好ましい。
【００４９】
このようなアミノ含有重合体の具体例を以下に示す。
【００５０】
【化２５】
2006010565.tif 000015
【００５１】
上記において、ｍ’およびｎ’はそれぞれ重合度を表す。なお、ｍ’は０であってもよい。
【００５２】
これらのなかには市販されているものもあり、市販品はそのまま用いることができる。また、公知の方法あるいは公知の方法に準じて合成することができる。
【００５３】
これらのなかでは、その入手のしやすさなどから、通常、（１）〜（５）の化合物が用いられる。例えば、（１）のポリエチレンイミン化合物は、商品名エポミン（日本触媒製）として、（３）のポリアリルアミン化合物は、商品名ＰＡＡ−Ｌ（重量平均分子量１万）、ＰＡＡ−Ｈ（重量平均分子量１０万）（日東紡製）として市販されている。
【００５４】
これらは、通常、１種の化合物が用いられるが、場合によっては、２種以上を併用してもよい。
【００５５】
式（Ｉ）で表されるホルミル［２．２］パラシクロファンの化学蒸着物にアルキル含有重合体を反応させて得られたアミノ基を有する重合体としては、式(III）で表されるシッフ塩基型の重合体、あるいは、このシッフ塩基型の重合体のシッフ塩基部分を還元した式(IV)で表される重合体が好ましいものとして挙げられる。
【００５６】
【化２６】
2006010565.tif 000016
【００５７】
【化２７】
2006010565.tif 000017
【００５８】
式(III)、(IV)中、ｎおよびｍはそれぞれ重合度を表し、ｎは０以上の整数であり、ｍは１以上の整数であり、ｎ＋ｍは２以上である。Ｘは、重合体主鎖の炭素に直接、または炭素もしくは窒素に炭素数１〜４のアルキレン基を介してアミノ基が結合した第１級アミンを有する基を表す。
【００５９】
Ｘ中の重合体主鎖としては、前記アミノ含有重合体の例示化合物に示されるように、ポリエチレン、ポリエチレンイミン、またはポリエチレンアミドであることが好ましい。また、Ｘは、通常、−ＣＨ2と炭素あるいは窒素で結合する。
【００６０】
式(II)で表される重合体は、通常、ランダム共重合体であると推定できる。
【００６１】
このようなアミノ基を有する重合体を含有する結着層の厚さに特に制限はなく、使用目的に応じて適宜選択することができる。
【００６２】
本発明のバイオチップにおいては、式（Ｉ）で表されるホルミル［２．２］パラシクロファンの化学蒸着物の形成に先立って、クロロ置換［２．２］パラシクロファン、好ましくはジクロロ［２．２］パラシクロファンの化学蒸着物を下地として形成することが好ましい。
【００６３】
ポリクロロ置換［２．２］パラキシリレン膜の方が基板に対する接着性がよいために、水洗い工程等における膜の剥離を防止することができるなど、基板と結着層との密着性が向上する。また、前述のように、経済的にも有利となる。
【００６４】
このような下地層の厚さは結着層の厚さに応じて選択するなどしてよく、接着性を得る目的を達成できれば、特に制限はない。通常、下地層は結着層より厚くすることが多い。
【００６５】
本発明のバイオチップは、次のようにして製造される。まず、式（Ｉ）で表されるホルミル［２．２］パラシクロファンを合成する。
【００６６】
式（Ｉ）で表されるホルミル［２．２］パラシクロファンは、公知の方法に従い、［２．２］パラシクロファンを、塩化チタン（IV）の存在下で、ジクロロメチルエーテルを反応させることにより得られる。
【００６７】
次に、式（Ｉ）で表されるホルミル［２．２］パラシクロファンを原料として化学蒸着法により基板上に重合体膜を成膜する。
【００６８】
化学蒸着は、図１に示されるような蒸着装置を用いて行う。図１の蒸着装置は、蒸発部１１と、分解部１２と、蒸着部１３とを有する。なお、図１において、蒸発部１１には蒸発材料を導入する開口部シャッタ１１ａを有し、さらに蒸発部１３にはトラップ１４を介して真空ポンプ１５が接続されている。
【００６９】
図示例の蒸着装置において、蒸発部１１に固体状の蒸発材料の式（Ｉ）で表されるホルミル［２．２］パラシクロファンを導入する。蒸発部１１を、１０〜５０Torr(1.33〜6.65Pa)程度の真空度に保ち、１４０〜１８０℃程度に加熱すると、蒸発材料が気化してダイマーガスとなり、原料ガスが生成する。
【００７０】
次いで、原料のダイマーガスを７００℃程度に加熱してある分解部１２に導入する。この分解部１２では、導入された原料ガスは熱分解によりモノマーガスとなる。
【００７１】
次に、得られた原料モノマーガスを、蒸着部１３内に導入する。蒸着部１３内は、５０mTorr(6.65Pa）程度の真空度に保持されている。そして、導入されたモノマーガスは基板表面で重合し、式(II)で表される重合体の膜が形成される。
【００７２】
なお、この成膜作業はホルミル基の酸化を防止するために非酸化性雰囲気（例えば窒素雰囲気）で行うことが好ましい。
【００７３】
また、式（Ｉ）で表されるホルミル［２．２］パラシクロファンの化学蒸着による成膜に先立ち、基板上に、予め、クロロ置換［２．２］パラシクロファンを化学蒸着して、これによりその重合体の膜を形成し、この膜上に式（Ｉ）で表されるホルミル［２．２］パラシクロファンからの重合体の膜を形成してもよい。これにより、基板との密着性が向上し、水等による膜剥離が防止できる。また、前述のように、経済的にも有利となる。
【００７４】
次に、基板上に形成された式(II)で表されるポリホルミルパラキシリレンとアミノ含有重合体とを反応させ、ホルミル基とアミノ基との縮合反応によりシッフ塩基を形成した式(III)で表される重合体を得る。
【００７５】
本発明では、式(III)で表される重合体を結着層に用いて十分であるが、さらに、このシッフ塩基部分をＮａＢＨ4等の還元剤を用いて還元し、これにより式(IV)で表される重合体を得、これを結着層に用いてもよい。式(IV)で表される重合体の方がより安定な化合物といえるが、本発明においては、いずれであってもよい。また、これらを併用してもよい。
【００７６】
なお、シッフ塩基タイプの重合体の生成の確認は、重合体がＤＮＡを吸着することから行うことができる。
【００７７】
このようにして、式(III)、(IV)で表される重合体を含有する結着層を有するバイオチップが得られる。
【００７８】
なお、上記の成膜時に所定パターンのマスクを用い、マスク蒸着を行ってもよい。このように、マスク蒸着を行うことにより、精度よく結着層パターンを形成することができ、不必要な部分にプローブ物質やサンプル物質（例えばＤＮＡやタンパク質）が付着してガーベージとして残り、感度（Ｓ／Ｎ）を悪化させることを防止することができる。
【００７９】
また、上記の反応スキームをまとめると次のようになる。ここでは、式(I)において、ｋ＝０の場合を代表にして示す。
【００８０】
【化２８】
2006010565.tif 000018
【００８１】
ここで、ｎ、ｍ、Ｘは、式(III)、(IV)におけるものと同義である。
【００８２】
基板の材質は、透明なガラス、シリコンまたはポリエチレンテレフタレート、酢酸セルロース、ビスフェノールＡ等のポリカーボネート、ポリスチレン、ポリメチルメタクリレート等のポリマーであることが好ましい。なかでもガラスまたはシリコンであることが特に好ましい。これは、表面処理の容易さや蛍光スキャニング装置による解析の容易さによるものである。シリカ表面層を持つガラスも好ましく用いられる。基板の厚さとしては、１００〜２０００μｍの範囲にあることが好ましい。なお、本発明の結着層と基板との結合性を考えると、上記ポリマーなどの樹脂材料も好ましく、さらに結合性を改善するために基板との間にカップリング剤を介在させてもよい。また、紙や金属、あるいは繊維、磁気ビーズなども基板として用いることができる。
【００８３】
プローブとして用いられるＤＮＡ断片は、目的によって二通りに分けることができる。遺伝子の発現を調べるためには、ｃＤＮＡ、ｃＤＮＡの一部、ＥＳＴ等のポリヌクレオチドを使用することが好ましい。これらのポリヌクレオチドは、その機能が未知であってもよいが、一般的にはデータベースに登録された配列を基にしてｃＤＮＡのライブラリー、ゲノムのライブラリーあるいは全ゲノムをテンプレートとしてＰＣＲ法によって増幅して調製する（以下「ＰＣＲ産物」という。）。あるいは、ＰＣＲ法によって増幅しないものも使用することができる。また、遺伝子の変異や多型を調べるには、標準となる既知の配列をもとにして、変異や多型に対応する種々のオリゴヌクレオチドを合成し、これを使用することが好ましい。さらに、塩基配列分析の場合には、４n（ｎは、塩基の長さ）種のオリゴヌクレオチドを合成し、これを使用することが好ましい。ＤＮＡ断片の塩基配列は、既知であることが好ましい。
【００８４】
ＤＮＡ断片の点着は、ＤＮＡ断片を水性媒体に溶解あるいは分散した水性液を、プラスチックプレートに分注し、分注された水性液をスポッター装置を用いて基板上に滴下して行うことが好ましい。
【００８５】
点着されるＤＮＡ断片は、基板表面に対して、１０2 〜１０5 種類／cm2 の範囲にあることが好ましい。ＤＮＡ断片の量は、１〜１０-15 モルの範囲にあり、重量としては数ｎｇ以下であることが好ましい。点着によって、ＤＮＡ断片の水性液は、基板表面にドットの形状で固定されるが、そのドット間の距離は、０〜１．５ｍｍの範囲にあることが好ましく、特に１００〜３００μｍの範囲にあることが好ましい。１つのドットの大きさは、直径が５０〜３００μｍの範囲にあることが好ましい。点着する量は、１００ｐＬ〜１μＬの範囲にあることが好ましく、特に１〜１００ｎＬの範囲にあることが好ましい。
【００８６】
アミノ基に対するＤＮＡの固定化には、静電相互作用を利用する方法、ＵＶクロスリンカーを用いる方法などがある。本発明ではＵＶクロスリンカーを用いることが好ましい。ＵＶの照射条件は１０〜２００mJであることが好ましい。
【００８７】
点着後は、必要に応じて乾燥し、固定されなかったＤＮＡ断片を洗浄して除去することが好ましい。
【００８８】
前記記載の基板表面上のドットの形状は、ほとんど円形である。形状に変動がないことは、遺伝子発現の定量的解析や一塩基変異を解析するために重要である。
【００８９】
上記のようにして作製されたＤＮＡ用のバイオチップの寿命は、ｃＤＮＡが固定されたｃＤＮＡチップで数週間、オリゴＤＮＡが固定されたオリゴＤＮＡチップではさらに長期間である。これらのＤＮＡ用のバイオチップは、遺伝子発現のモニタリング、塩基配列の決定、変異解析、多型解析等に利用される。検出原理は、標識した標的核酸とのハイブリダーゼーションである。
【００９０】
サンプルである標的核酸としては、その配列や機能が未知であるＤＮＡ断片試料あるいはＲＮＡ断片試料を用いることが好ましい。
【００９１】
標的核酸は、遺伝子発現を調べる目的では、真核生物の細胞や組織サンプルから単離することが好ましい。標的がゲノムならば、赤血球を除く任意の組織サンプルから単離することが好ましい。赤血球を除く任意の組織は、末梢血液リンパ球、皮膚、毛髪、精液等であることが好ましい。標的がｍＲＮＡならば、ｍＲＮＡが発現される組織サンプルから抽出することが好ましい。ｍＲＮＡは、逆転写反応により標識ｄＮＴＰ（「ｄＮＴＰ」は、塩基がアデニン（Ａ）、シトシン（Ｃ）、グアニン（Ｇ）もしくはチミン（Ｔ）であるデオキシリボヌクレオチドを意味する。）を取り込ませて標識ｃＤＮＡとすることが好ましい。ｄＮＴＰとしては、化学的な安定性のため、ｄＣＴＰを用いることが好ましい。１回のハイブリダイゼーションに必要なｍＲＮＡ量は、液量や標識方法によって異なるが、数μｇ以下であることが好ましい。なお、ＤＮＡ用チップ上のＤＮＡ断片がオリゴＤＮＡである場合には、標的核酸は低分子化しておくことが望ましい。原核生物の細胞では、ｍＲＮＡの選択的な抽出が困難なため、全ＲＮＡを標識することが好ましい。
【００９２】
標的核酸は、遺伝子の変異や多型を調べる目的では、標識プライマーもしくは標識ｄＮＴＰを含む反応系で標的領域のＰＣＲを行って得ることが好ましい。
【００９３】
標識方法としては、ＲＩ法と非ＲＩ法とがあるが、非ＲＩ法を用いることが好ましい。非ＲＩ法としては、蛍光標識法、ビオチン標識法、化学発光法等が挙げられるが、蛍光標識法を用いることが好ましい。蛍光物質としては、核酸の塩基部分と結合できるものであれば何れも用いることができるが、シアニン色素（例えば、Ｃｙ ＤｙｅTMシリーズのＣｙ３、Ｃｙ５等：Ratnaker B. Mujumdar et al., Bioconjugate Chem., vol 4, No.2, 1993年, p105-111参照）、ローダミン６Ｇ試薬、Ｎ−アセトキシ−Ｎ2 −アセチルアミノフルオレン（ＡＡＦ）、ＡＡＩＦ（ＡＡＦのヨウ素誘導体）などを使用することが好ましい。
【００９４】
ハイブリダイゼーションは、プラスチックプレートに分注しておいた、標識した標的核酸が溶解あるいは分散された水性液を、上記で作製したバイオチップ上に点着することが好ましい。点着の量は、１〜１００ｎＬの範囲にあることが好ましい。ハイブリダイゼーションは、室温〜７０℃の温度範囲で、そして６〜２０時間の範囲で実施することが好ましい。ハイブリダイゼーション終了後、界面活性剤と緩衝液との混合溶液を用いて洗浄を行い、未反応の標的核酸を除去することが好ましい。界面活性剤としては、ドデシル硫酸ナトリウム（ＳＤＳ）を用いることが好ましい。緩衝液としては、クエン酸緩衝液、リン酸緩衝液、ホウ酸緩衝液、トリス緩衝液、グッド緩衝液等を用いることができるが、クエン酸緩衝液を用いることが好ましい。
【００９５】
バイオチップを用いるハイブリダイゼーションの特徴は、標識した核酸の使用量が非常に少ないことである。そのため、基板に固定するＤＮＡ断片の鎖長や標識した標的核酸の種類により、ハイブリダーゼーションの最適条件を設定する必要がある。遺伝子発現の解析には、低発現の遺伝子も十分に検出できるように、低い厳密度で長時間のハイブリダイゼーションを行うことが好ましい。一塩基変異の検出には、高い厳密度で短時間のハイブリダイゼーションを行うことが好ましい。また、互いに異なる蛍光物質によって標識した標的核酸を二種類用意し、これらを同時にハイブリダイゼーションに用いることにより、同一のバイオチップ上で発現量の比較や定量ができる特徴もある。
【００９６】
タンパク質をプローブとする場合の具体的操作はＤＮＡをプローブとする場合と同様にすればよい。
【００９７】
プローブとして用いられるタンパク質は機能がある酵素全てを挙げることができる。具体的には、糖質関連酵素、タンパク質分解酵素、脂質分解酵素、果実関連酵素、医療用酵素、診断用酵素、遺伝子工学用酵素などがある。
【実施例１】
【００９８】
［２．２］パラシクロファンから式（Ｉ）で表されるホルミル［２．２］パラシクロファンを合成した。
【００９９】
【化２９】
2006010565.tif 000019
【０１００】
［２．２］パラシクロファン７．８gを４０mlの塩化メチレン溶液に塩化チタン(IV)塩化メチレン溶液(1mol/L濃度)８０mlを加え、０℃から５℃に冷却した。撹拌しながら、この温度下で、ジクロロメチルエーテル溶液９．０gを滴下した。滴下終了後、室温で２０分撹拌し、その後、塩酸５０mlを含む氷上にあけた。塩化メチレン溶液を分離し、この溶液を水２００mlで２回洗浄した。塩化メチレン溶液を窒素雰囲気中、芒硝で脱水を行った。窒素下で溶媒を留去した。残留物に２００mlのエタノールを加え、加熱還流を行った。溶液は濁りがあるため濾過した。エタノール溶液を凝縮、放冷した。析出した沈澱を濾取し、減圧乾燥した。５．２gのホルミル［２．２］パラシクロファンを得た（ガラスクロマトグラフィー純度GC９９．８%、mp１４０〜１４２℃）。
【実施例２】
【０１０１】
結着層を有する基板を作製した。
（１）重合体膜の形成
図１に示すような蒸着装置を使用して重合体膜の形成を行った。図示例の蒸着装置において蒸発部に式（Ｉ）の構造を有する固体状の蒸着材料ホルミル［２．２］パラシクロファン３．０gを導入した。蒸発部を、１０〜５０mTorr（１．３３〜６．６５Pa）の真空度に保ち、１４０〜１８０℃に加熱すると、蒸着材料が気化してダイマーガスとなり、原料ガスが生成した。次いで、原料ガスは７００℃に加熱してある分解部に導入した。この分解部では、前記のスキームに示されるように、導入された原料ガスは熱分解によりモノマーガスとなる。次に、得られたモノマーガスを蒸着部に導入した。蒸着部内は、最大５０mTorr （６．６５Pa）の真空度に保持されている。そして導入されたモノマーガスは蒸着部内に設置されたガラス基板の表面で重合し、前記のスキームに示されるような重合体の膜を形成した。この時、形成された重合体の膜の膜厚は０．３５μmであった。また、重合体の膜形成における一連の作業は、蒸着材料中や重合体の膜中におけるホルミル基の酸化を防ぐために窒素雰囲気下で行った。
【０１０２】
（２）シッフ塩基の形成
２０％（質量百分率）ポリアリルアミン水溶液（日東紡製Polyallylamine-L(20%)）４０gを真空度４０〜６０mmHg（５．３２〜７．９８kPa）、温度約１００℃ミンのエタノール溶液を得た。この溶液に上記のようにして製造したガラス基板を浸し、加熱を行い、還流状態を２時間保持した。その後、ガラス基板を取り出し、真空度２〜３mmHg（２６６〜３９９Pa）、温度約８５℃で減圧乾燥を一昼夜行った。このようにしてガラス基板上にホルミルパラシクロファンのポリアリルアミンシッフ塩基を生成した（前記スキーム参照）。その後、ガラス基板は未反応のポリアリルアミンを除去するために十分に水洗いし、内温約６０℃のオーブンで乾燥させた。
【０１０３】
この場合のアルキル含有重合体であるポリアリルアミンは、例示化合物（３）であり、重量平均分子量は１万であり、商品名ＰＡＡ−Ｌ（日東紡製）で市販されているものである。また、これによって得られるシッフ塩基型の重合体は次のとおりである。
【０１０４】
【化３０】
2006010565.tif 000020
【０１０５】
このようにして得られたシッフ塩基型の重合体の膜を結着層として有するガラス基板を得た。これを基板サンプルNo.１とする。
【実施例３】
【０１０６】
実施例２の基板サンプルNo.１において、（１）の重合体膜の形成に先立って、ガラス基板上に下記のジクロロ［２．２］パラシクロファンからの化学蒸着膜を下地として３μm 厚に形成したものとするほかは同様にして基板サンプルNo.２を作製した。
【０１０７】
【化３１】
2006010565.tif 000021
【実施例４】
【０１０８】
（１）ＤＮＡバイオチップの作製（図２参照）
プローブＤＮＡの濃度が０．５〜１μg/μLとなるように、標準液の２倍希釈のSSC(NaCl-Na3C6H5O7)溶液を加えてＤＮＡを溶解してスポット溶液とし、実施例２の基板サンプルNo.１を用い、ＤＮＡマイクロアレイ作製装置を設定し、ＤＮＡスポッターにより基板サンプルNo.１上にスポットし、スポット完了後ラックにたてて、７０〜８０℃で１時間ベーキングした。その後、室温に戻した。なお、このスポットにより、前述のシッフ塩基の生成が確認できた。
【０１０９】
次に、ＵＶクロスリンク機を用い、６０mJのＵＶを照射した。これをＤＮＡバイオチップNo.１（本発明品）とする。
【０１１０】
（２）ハイブリダイゼーション
作製したＤＮＡバイオチップNo.１の１個につき、ターゲット（標的）ＤＮＡ溶液４０μLを用意した。溶液量はガバーグラスのサイズにより調整する。
【０１１１】
ターゲットＤＮＡ溶液はターゲットＤＮＡに蒸留水を加えて２８μLとして、さらに標準溶液を２０倍に希釈したＳＳＣ溶液を１０μL加えて調液した。
【０１１２】
但し、プローブＤＮＡがｃＤＮＡの場合は、poly(A)(Sigma社製ポリアデニル酸)最終濃度が０．５mg/mLとなるように加える。
【０１１３】
さらに、１０％（質量百分率）ＳＤＳ（ドデシル硫酸ナトリウム）溶液を２μL加え、６５℃で５分間加温した。
【０１１４】
ＤＮＡバイオチップNo.１上にターゲットＤＮＡ溶液４０μLを静かに泡が入らないように端に広げ、カバーガラス(24mm×55mmサイズのNo.1)を静かに端から乗せ、ハイブリダイゼーションチャンバー内にて６５℃で２０時間インキュベートした。なお、ギャップカバー使用時は、ＤＮＡバイオチップにギャップカバーを被せたあと、端からマイクロピペットを用いて４５μL浸透させる。
【０１１５】
その後、ハイブリダイゼーションチャンバーから取り出し、以下の工程で洗浄を実施した。なお、下記のＳＳＣの希釈溶液は、前記の２０倍希釈溶液を基準とした希釈度であり、ＳＤＳ溶液は前記の１０％溶液から調製した。
【０１１６】
a)２倍希釈のSSC溶液-0.1%（質量百分率）SDS溶液中にスライドをピンセットでつかんで揺動しカバーガラスが落ちるまで静かに揺動した。
b)染色スライド枠に立てた。
c)２倍希釈のSSC溶液-0.2%（質量百分率）SDS溶液で常温で揺動３分の条件で３回洗浄した（新液に順に３回漬けた）。
d)０．２倍希釈のSSC溶液-0.2%（質量百分率）SDS溶液で常温で揺動３分の条件で３回洗浄した。
e)０．２倍希釈のSSC溶液-0.2%（質量百分率）SDS溶液で６０℃で揺動１０分の条件で２回洗浄した。
f)０．２倍希釈のSSC溶液-0.2%（質量百分率）SDS溶液で常温で揺動３分の条件で２回洗浄した。
g)ＳＤＳ除去のため、０．２倍希釈のSSC溶液で常温で数秒の条件で３回リンスした。
h)エタノール中で２０回揺動した。
i)さらに、エタノール中２０回揺動後、８００rpm２分間遠心機にかけたあと、室温で乾燥させた。
【０１１７】
その後、ＤＮＡマイクロアレイ用スキャナーを用い、蛍光量を観察した。
【０１１８】
結果を図３に示す。図中、ｄＸＨ１０−ｕｖ−Ｃｙ３は標的ＤＮＡにＣｙ３が標識されたものであり、ｄＸＨ１０−ｕｖ−Ｃｙ５はＣｙ５が標識されたものである。また、ｄＸＨ１０−ｗａｓｈ−Ｃｙ３、ｄＸＨ１０−ｗａｓｈ−Ｃｙ５は、それらを蒸留水に一晩漬けることにより水洗いしたものである。
【０１１９】
さらに、これらの画像データの数値化を行った。データは、各４０個のスポットの平均と標準偏差であり、数値は、色調図を図７のようにしたときの色調パラメータである。結果を表１に示す。なお、表の数値化は、グレースレールに直すと、結合が、このような色の解析を行った場合、このような数字になるということを示している。
【０１２０】
（３）本発明品のチップNo.１の作製において、ＵＶ照射を行わないものとする以外は同様にしてチップNo.１１（本発明品）を作製した。
【０１２１】
このチップNo.１１（本発明品）についてもチップNo.１と同様の操作を行い、蛍光量を観察した。結果を図４および表１に示す。表示は、図３におけるものと同様である。
【０１２２】
（４）次に、ポリリシンを結着層とする市販のマイクロアレイスライドを用い、基板サンプルNo.１と同様の操作を行い、蛍光量を観察した。結果を図５および表１に示す。表示は、図３におけるものと同様である。
【０１２３】
（５）さらに、ポリリシンを結着層とする市販のマイクロアレイスライドを用い、基板サンプルNo.１に対する操作において、ＵＶ照射を行わないものとし、ベーキング後に、無水コハク酸溶液に浸漬するような次の操作を行い、蛍光量を観察した。この場合の操作は、無水コハク酸溶液を用いた標準処理に相当するものである。結果を図６および表１に示す。表示は、図３におけるものと同様である。
【０１２４】
i)  ラックにマイクロアレイスライドをたてて、無水コハク酸溶液に時々揺動しながら２０分間漬けた。
前処理溶液である無水コハク酸溶液は使用直前に調製した。この溶液は、２．５gの無水コハク酸を１５７mLの１−メチル−２−ピロリジンに溶解し、使用直前に１７．５mLのホウ酸ナトリウム（ｐＨ８．０）溶液を加えたものである。
【０１２５】
ii)  無水コハク酸溶液のすすぎは次のように行った。
a)  純水にラックごと漬け、１０回静かに揺動した。
b)  さらに、純水にラックごと漬け１０回静かに揺動した。
【０１２６】
iii)  沸騰した蒸留水中に２分間漬けた。
【０１２７】
iv）余分な水分を吸い取り、素早く冷エタノールに１分間浸して脱水したあと取り出し余分なエタノールを吸い取り室温で乾燥させた。
【０１２８】
【表１】
2006010565.tif 000022
【０１２９】
以上の結果より、本発明品において、ＵＶ照射によりプローブＤＮＡを固定すれば、水洗い処理などによる影響が少なく、良好な測定を行えることがわかる。
【０１３０】
これに対し、市販品はＵＶ照射によってもＤＮＡ固定が十分でなく、ポリリシン層中に存在するオリゴマーによる影響のためか、標準処理においても水洗い処理の影響がみられる。
【０１３１】
本発明品は、ＤＮＡの検出などに有効である。
【実施例５】
【０１３２】
実施例３の基板サンプルNo.２を用いて、実施例４の基板サンプルNo.１に対する操作と同様の操作を施したが、ＵＶ照射を行ったものにおいても、行わないものにおいても、基板に対する結着層の密着性が改善し、水洗い処理による影響が少ないことがわかった。
【実施例６】
【０１３３】
実施例２の基板サンプルNo.１のシッフ塩基型の重合体をＮａＢＨ4により還元した次の重合体の膜を結着層として有するガラス基板（基板サンプルNo.３）を得た。
【０１３４】
【化３２】
2006010565.tif 000023
【０１３５】
これを用いて、実施例４の基板サンプルNo.１に対する操作と同様の操作を施した。ＵＶ照射の有無に応じて同様の結果が得られた。
【実施例７】
【０１３６】
実施例３の基板サンプルNo.２において、実施例６と同様に、ＮａＢＨ4によりシッフ塩基型の重合体を還元する他は同様にして、基板サンプルNo.４を得た。これに対して、実施例５と同様の操作を行ったところ、基板サンプルNo.３に比べた場合、基板に対する結着層の密着性が改善することがわかった。
【図面の簡単な説明】
【０１３７】
【図１】本発明のバイオチップを製造するための装置の概略構成を示したブロック図である。
【図２】バイオチップの製造工程を示した模式図である。
【図３】基板上に形成された微細なパターンを表す図面代用写真であり、本発明のバイオチップ（ＵＶ照射有：無水コハク酸溶液を用いた標準処理無）を用いた場合の蛍光量を示す写真である。
【図４】基板上に形成された微細なパターンを表す図面代用写真であり、本発明のバイオチップ（ＵＶ照射無：無水コハク酸溶液を用いた標準処理無）を用いた場合の蛍光量を示す写真である。
【図５】基板上に形成された微細なパターンを表す図面代用写真であり、従来のバイオチップ（ＵＶ照射有：無水コハク酸溶液を用いた標準処理無）を用いた場合の蛍光量を示す写真である。
【図６】基板上に形成された微細なパターンを表す図面代用写真であり、従来のバイオチップ（無水コハク酸溶液を用いた標準処理）を用いた場合の蛍光量を示す写真である。
【図７】色調図とそれに対応する色調パラメータである。
【符号の説明】
【０１３８】
１１    蒸発部
１２    分解部
１３    蒸着部
１４    トラップ
１５    真空ポンプ
２１    ＤＮＡ
２２    マイクロプレート
２３    基板
２４    結合剤含有層（結着層）
【図１】
2006010565.tif 000035
【図２】
2006010565.tif 000036
【図３】
2006010565.tif 000037
【図４】
2006010565.tif 000038
【図５】
2006010565.tif 000039
【図６】
2006010565.tif 000040
【図７】
2006010565.tif 000041